(57)【要約】【課題】墓前の環境を美化し、且、清潔に維持すること、造花の供花について、その選択の自由度を高めること、及び、製造コストを低減することの可能な墓用造花支持装置及び墓用花立装置を提供する。【解決手段】  墓用造花支持装置は、支持体７１と、造花７２とを含む。支持体７１は、取付用孔７１１を有している。造花７２は、取付用孔７１１の周りにおいて、支持体７１に取り付けられている。【選択図】図１
2015197025.tif 000002
【特許請求の範囲】
【請求項１】
支持体と、造花とを含む墓用造花支持装置であって、
前記支持体は、取付用孔を有しており、
前記造花は、前記取付用孔の周りにおいて、前記支持体に取り付けられている、
墓用造花支持装置。
【請求項２】
墓用造花支持装置を有する墓用花立装置であって、
前記墓用造花支持装置は、請求項１に記載されたものでなる、
墓用花立装置。
【発明の詳細な説明】
【技術分野】
【０００１】
本発明は、墓用造花支持装置及び墓用花立装置に関する。
【背景技術】
【０００２】
通常、墓は、墓石以外にも香炉や花立てなど付属物を有している。花立ては、遺族が墓参りの際に、墓前に手向けた供花を挿すものである。
【０００３】
ところで、墓参りの際に墓前へ供物を捧げたままにすると、野良犬や烏などによって供物が食い荒らされ、墓地の環境が雑然となる問題が生じる。そこで、多くの墓地や霊園では、墓地の環境美化を図る観点から、墓前に供えた供物は、墓参り後に持ち帰るよう利用規則等で定めている。これに対し、供花は、野良犬などによって食い荒らされる恐れがないことから、墓前に供えた供花は、墓参り後もそのまま墓前に飾られる傾向にある。
【０００４】
しかし、近年、供花についても、墓地の環境が雑然となる問題が生じうることが知られている。例えば、供花は、概ね生花であるから冬季の寒気に弱く、花や葉が立ち枯れた状態で花立てに放置されることとなる。さらに、花立てに供花を供えたまま放置していると、花立て内の水が寒気によって凍結して氷となり、氷によって持ち上げられた供花が花立てから脱落して地面に散乱することとなる。
【０００５】
また、供花は、夏季の直射日光や熱気にも弱く、萎れた花や葉が地面に散乱する。さらに、生花を長持ちさせるため花立て内に溜めた水が熱気により腐敗して臭気を発したり、ときには蚊の幼虫の住家ともなる。これらは甚だ佗しく心痛むことであり、霊魂の安住の地に相応しくない。
【０００６】
従来、供花を巡る墓前の環境美化の問題は、遺族が頻繁に墓参りし、墓前の管理をすることにより解消されてきた。しかし、現在では、ライフスタイルの変化に伴い、墓地と、遺族の居住地とが遠く離れていることが多く、供花の管理するためだけに墓参りしなければならないとなると、遺族にとって負担が大きくなる。
【０００７】
上述した供花を巡る墓前の環境美化の問題を解決する従来技術について、例えば、特許文献１〜３に記載された墓用花立装置が知られている。特許文献１〜３に開示された墓用花立装置は、有底筒状の外容器に対し、同じく有底筒状の内容器を取り出し可能に収納する二重筒構造を有し、さらに、内容器には、筒状の造花保持部が取り付けられている。
【０００８】
特許文献１〜３の墓用花立装置は、内容器の開口部と、外容器の開口部とが同一方向（例えば、上側）を向いているとき内容器に生花を挿し、内容器の開口部が、外容器の開口部とは逆方向（例えば下側）を向いているとき造花保持部に造花を挿すことにより、生花と、造花とを使い分けし、墓前の環境美化を図ることができる。
【０００９】
ところで、造花使用の際は、枯れない造花を使用しているからという理由で、墓参りの間隔が長くなりがちで、造花の手入れがなされないままに放置状態になり、造花が色あせて痛み、墓地が荒んでしまうという、墓前環境美化とは逆の結果になってしまうことがある。
【００１０】
寺院や霊園では、枯れた生花とは異なり、色褪せていたんだ造花の処理のタイミングの判断が難しいし、冬季には、雪の中に造花による花が存在するという不自然な状態となることもあって、墓地所有者との間でトラブルになることもある。
【００１１】
更に、墓地には、造花は使用すべきではない、という人々もおり、そのような人々にとっては、生花と造花とを使い分けする構造の墓用花立装置を用いることに抵抗感がある。また、生花だけの場合よりもコスト高になるという問題もある。
【先行技術文献】
【特許文献】
【００１２】
【特許文献１】特許第４３８４７０４号公報
【特許文献２】特許第４５５０１５５号公報
【特許文献１】特許第５２００１８５号公報
【発明の概要】
【発明が解決しようとする課題】
【００１３】
本発明の課題は、墓前の環境を美化し、且、清潔に維持することができる墓用造花支持装置及び墓用花立装置を提供することである。
【００１４】
本発明のもう一つの課題は、造花の供花について、その選択の自由度を高めた墓用造花支持装置及び墓用花立装置を提供することである。
【００１５】
本発明の更にもう一つの課題は、製造コストを低減しうる墓用花立装置を提供することである。
【課題を解決するための手段】
【００１６】
上述した課題を解決するため、本発明に係る墓用造花支持装置は、支持体と、造花とを含む。前記支持体は、取付用孔を有しており、前記造花は、前記取付用孔の周りにおいて、前記支持体に取り付けられている。
【００１７】
本発明に係る墓用造花支持装置は、墓前に造花をお供えするに当たり、墓用花立装置と組み合わされる。本発明に係る墓用造花支持装置は支持体を含んでおり、支持体は取付用孔を有しているから、墓用花立装置に凸部等を設けておくだけで、取付用孔に凸部を挿入し、墓用造花支持装置の支持体を墓用花立装置に組み合わせることができる。支持体には、取付用孔の周りに、造花が取り付けられているから、支持体を墓用花立装置に組み合わせることにより、墓用花立装置が構成される。
【００１８】
お供えされた造花を撤去するには、取付用孔と凸部との組合せを解き、墓用造花支持装置ごと、墓用花立装置から取り外せばよい。このように、取り外しという簡単な操作によって、一旦、飾った造花を、墓参が済んだ後に撤去し持ち帰ることができる。このため、造花の手入れがなされないままに放置状態になるという事態や、造花が色あせて痛んで墓地が荒んでしまうという事態を回避し、墓前の環境を美化し、且、清潔に維持することができる。
【００１９】
また、寺院や霊園では、造花処理のタイミングについて思い悩む必要はないし、冬季に、雪の中に造花による花が存在するという不自然な状態となることも回避でき、墓地所有者との間でトラブルになることもなくなる。
【００２０】
更に、墓地には造花は使用すべきではない、という人々は、当該墓用造花支持装置を使用しなければよいのであるから、造花のお供えについて、その選択の自由度を高めることになる。
【００２１】
また、墓用花立装置に対する当該墓用造花支持装置の組合せ、及び、取り外しを、凸部等に対する取付用孔の組合せ、及び、取り外しという簡単な操作によって実現し得るから、製造コストを低減しうる。
【００２２】
本発明に係る墓用造花支持装置は、好ましくは、押え部材を含み、前記押え部材は、前記支持体を押えるように組み合わされる。このような押え部材を備えることにより、墓用造花支持装置が、風等で飛ばされてしまったり、或いは、鳥獣によって持ちされる等の事態を回避することができる。
【発明の効果】
【００２３】
以上述べたように、本発明によれば、次のような効果を得ることができる。
（１）墓前の環境を美化し、且、清潔に維持することができる墓用造花支持装置及び墓用花立装置を提供することができる。
（２）造花の供花について、その選択の自由度を高めた墓用造花支持装置及び墓用花立装置を提供することができる。
（３）製造コストの安価な墓用造花支持装置及び墓用花立装置を提供することができる。
【００２４】
本発明の他の目的、構成及び利点については、添付図面を参照し、更に詳しく説明する。添付図面は、単に、例示に過ぎない。
【図面の簡単な説明】
【００２５】
【図１】本発明に係る墓用造花支持装置の一実施例を示す分解斜視図である。
【図２】図１に示した墓用造花支持装置の断面図である。
【図３】図１及び図２に示した墓用造花支持装置を用いた墓用花立装置の縦断面図である。
【図４】生花を飾った墓用花立装置の一部を破断して示す正面図である。
【図５】不使用状態における墓用花立装置の一部を破断して示す正面図を示す正面断面図である。
【発明を実施するための形態】
【００２６】
図１乃至図５において同一符号は、同一又は対応部分を示すものとする。図１及び図２に図示された墓用造花支持装置は、支持体７１と、造花７２と、更に、押え部材７３とを含む。
【００２７】
まず、支持体７１は、金属系、合成樹脂系、木質系又はそれらの組合せ等、任意の材料を用いて構成することができる。実施例に示す支持体７１は、金属薄板を加工して得られたもので、外周縁が、表面に向かって立ち上るリング状の折返し突縁７１２となっている。折返し突縁７１２の端部７１４は自由端である
支持体７１は、取付用孔７１１を有している。取付用孔７１１は、支持体７１の中央部に設けられている。取付用孔７１１の数、形状、大きさ等は、取付用孔７１１と組み合わされる墓用花立装置の構造によるのであって、図示の形態に限定されるものではない。取付用孔７１１の周りには、任意数の水抜き孔７１３が設けられている。
【００２８】
造花７２は、この実施例では複数（４個）であって、取付用孔７１１の周りにおいて、互いに間隔を隔てて支持体７１に取り付けられている。造花７２の数、形態、大きさ、種類等は任意である。この実施例では、プラスチックで形成された４個の造花７２を、その茎の部分で、取付用孔７１１の周りの支持体７１に取付けてある。
【００２９】
押え部材７３は、支持体７１を押えるように組み合わされるもので、面板部７３１の中央部に、支持体７１の取付用孔７１１と重なる中心孔７３２を有するとともに、面板部７３１の外周方向に放射状に延びる複数の押さえ片７３３を有する。押え部材７３は、ボルト・ナット等の結合具を用いたものであってもよい。
【００３０】
図３は、図１及び図２に示した本発明に係る墓用造花支持装置の使用状態を示す部分断面図である。図３の実施形態は、例えば墓参り中の使用状態を示すものであって、墓用造花支持装置Ａを組み合わせた墓用花立装置Ｂは、墓石５に載置されている。
【００３１】
墓用花立装置Ｂは、基本的には、本発明に係る墓用造花支持装置Ａを組み合わせることができるものであればよい。図３において、墓用花立装置Ｂは、外容器１０と、内容器２０とを含む。外容器１０は、有底筒状であって、収納空間１００を有している。収納空間１００は、底部１２と、底部１２の周縁から高さ方向に立ち上がる壁部１１とによって画定されている。壁部１１、及び、底部１２は、成形容易性、経年使用に対する耐久性（耐腐食性）などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形され、外容器１０の本体部分を構成している。
【００３２】
外容器１０は、更に、貫通孔１４と、支持部１５と、台座部１６、排水口１７とを有している。貫通部１４は、壁部１１を厚み方向に貫通し、収納空間１００に連通している。貫通孔１４は、開口部分の形状が例えば円形となっており、壁部１１の全体に亘って分布している。貫通孔１４は、外部の空気を収納空間１００に導入し、収納空間１００内の温度を一定に保つための通風口である。従って、必ずしも上述した配置に限定されるものではない。例えば、貫通孔１４を花柄や唐草模様の透かし彫りとすることにより、通風口としての基本機能に加えて、墓前に適した装飾効果を付することができる。
【００３３】
支持部１５は、底部１２の内面から高さ方向に立ち上がっており、その高低差の分だけ、底部１２の中央部分が凹状に陥没している。この凹みは、内容器２０に設けられた凸部２８の退避空間１５０となる。
【００３４】
台座部１６は、底部１２の外面に配置され、外容器１０の本体部分を支えている。もっとも台座部１６は、底部１２と一体的な構造であってもよい。
【００３５】
排水口１７は、底部１２及び台座部１６を高さ方向に貫通している。排水口１７は、内容器２０から溢れ出た水や、収納空間１００内に侵入した雨水、及び、結露により生じる水などを、収納空間１００から外へ排出するものであり、収納空間１００を画定する壁部１１及び底部１２の下側において、水がたまりやすい位置を勘案して開口される。
【００３６】
内容器２０は、外容器１０から分離可能な別部材となっていて、外容器１０に取り出し可能に収納された二重筒構造を構成する。内容器２０は、底部２２を有する有底筒状であって、底部２２の外面側には、装飾部ともなり得る凸部２８が突設されている。
【００３７】
本発明に係る墓用造花支持装置Ａを使用するに当たっては、墓用花立装置Ｂの内容器２０を、凸部２８が表面に突出するようにして、外容器１０の収納空間１００の内部に収納する。そして、上面側に現れた墓用花立装置Ｂの底部２２の上に、造花７２を有する支持体７1を重ね、更にその上に押え部材７３を重ねる。造花７２を有する支持体７１は、取付用孔７１１の部分で凸部２８を貫通させ、押え部材７３は支持体７１の取付用孔７１１と重なる中心孔７３２の部分で、凸部２８を貫通させる。支持体７１は、折返し突縁７１２が、墓用花立装置Ｂの外容器１０の外周を覆い、その端部７１４が外容器１０の最上面よりも下側に位置するように組み合わされる。これにより、墓用花立装置Ｂに対する支持体７１の横方向のずれが制限され、支持体７１、延いては、墓用造花支持装置Ａの墓用花立装置Ｂに対する横ずれ又は脱落が阻止される。
【００３８】
押え部材７３には、面板部７３１の外周方向に放射状に延びる複数の押さえ片７３３が設けられている（図１、図２参照）ので、これらの押さえ片７３３によって、造花７２を有する支持体７１が押えられる。これにより、墓用造花支持装置Ａが、風等で飛ばされてしまったり、或いは、鳥獣によって持ちされる等の事態を回避することができる。
【００３９】
また、支持体７１は取付用孔７１１を有しているから、墓用花立装置Ｂに凸部２８を設けておくだけで、取付用孔７１１に凸部２８を挿入し、墓用造花支持装置Ａの支持体７１を墓用花立装置Ｂに組み合わせることができる。支持体７１には、造花７２が取り付けられているから、支持体７１を墓用花立装置Ｂに組み合わせることにより、造花７２のための墓用花立装置が構成される。
【００４０】
お供えされた造花７２を撤去するには、取付用孔７１１と凸部２８との組合せを解き、墓用造花支持装置Ａごと、墓用花立装置Ｂから取り外せばよいから、一旦、飾った造花７２を、墓参が済んだ後に撤去し持ち帰ることができる。このため、造花７２の手入れがなされないままに放置状態になることもないし、造花７２が色あせて痛んで墓地が荒んでしまう等ということもない。よって、墓前の環境を美化し、且、清潔に維持することができる。
【００４１】
また、寺院や霊園では、造花処理のタイミングについて思い悩む必要はないし、冬季に、雪の中に造花７２による花が存在するという不自然な状態となることも回避でき、墓地所有者との間でトラブルになることもなくなる。
【００４２】
更に、墓地には造花７２は使用すべきではない、という人は、当該墓用造花支持装置Ａを使用しなければよいのであるから、造花７２のお供えをするかどうかについて、その選択の自由度が高まる。
【００４３】
また、墓用花立装置Ｂに対する当該墓用造花支持装置Ａの組合せ、及び、取り外しを、凸部２８に対する取付用孔７１１の組合せ、及び、取り外しという簡単な操作によって実現し得るから、製造コストを低減しうる。
【００４４】
図４は、生花６を用いた場合の墓用花立装置Ｂの使用状態を示す図である。この場合には、墓用花立装置Ｂから墓用造花支持装置を除去し、内容器２０を、図３の位置から逆転させ、底部２２及び凸部２８が下側になるように、外容器１０の収納空間１００の内部に収納する。内容器２０は、底部２２の外面が支持部１５によって受けられ、凸部２８が支持部１５の高さによって確保された退避空間１５０に収納される。
【００４５】
生花６は、外容器１0の開口部１３及び内容器２０の開口部２３を通じて、内容器２０内部空間２００に生けられている。内部空間２００には生花６のための水８が貯められている。内部空間２００内に生花６のための水８を注いだ際の余分な水や、内部空間２００内に侵入した雨水によって増えた水などは、貫通部２７を通じて収納空間１００へ排出され、更に排水口１７または貫通孔１４を通じて外部に排出される。従って、内部空間２００の水８の水面位置は、常に貫通部２７の開設位置の上限として、一定となる。
【００４６】
生花６は、墓参り後に内部空間２００から取り出して持ち帰る。図５は、墓参り後の状態を示すものであって、蓋４が被せられている。蓋４は、外容器１０の開口部１３に着脱可能に取り付けられ、外容器１０の収納空間１００、及び、内容器２０の内部空間２００を覆っている。
【００４７】
以上、好ましい実施例を参照して本発明の内容を具体的に説明したが、本発明の基本的技術思想及び教示に基づいて、当業者であれば、種種の変形態様を採り得ることは自明である。
【符号の説明】
【００４８】
Ａ                墓用造花支持装置
Ｂ                墓用花立装置
７１              支持体
７２              造花
７３              押え部材
１０              外容器
２０              内容器
【図１】
2015197025.tif 000003
【図２】
2015197025.tif 000004
【図３】
2015197025.tif 000005
【図４】
2015197025.tif 000006
【図５】
2015197025.tif 000007
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
支持体と、造花と、押え部材を含む墓用造花支持装置であって、
前記支持体は、取付用孔を有しており、
前記造花は、前記取付用孔の周りにおいて、前記支持体に取り付けられており、
前記押え部材は、当該押え部材の面板部の中央部に中心孔を有し、前記面板部の外周方向に放射状に伸びる複数の押さえ片を有し、
前記押え部材は前記支持体を押えるように組み合される
墓用造花支持装置。
【請求項２】
墓用造花支持装置を有する墓用花立装置であって、
前記墓用造花支持装置は、請求項１に記載されたものでなる、
墓用花立装置。
【請求項３】
当該墓用造花支持装置は、外容器と内容器とを含み、
前記外容器は、底部と、当該底部の周縁から高さ方向に立ち上がる壁部とによって画定された収納空間を有する有底筒状であって、さらに、支持部と、台座部とを有し、
前記支持部には、凹状の退避空間が設けられ、
前記内容器は、底部を有する有底筒状であって、当該底部の外面側には凸部が突設されており、前記外容器から分離可能で、当該外容器に取り出し可能に収納された二重筒構造を構成している
請求項２に記載の墓用花立装置。
【手続補正２】
【補正対象書類名】明細書
【補正対象項目名】００１２
【補正方法】変更
【補正の内容】
【００１２】
【特許文献１】特許第４３８４７０４号公報
【特許文献２】特許第４５５０１５５号公報
【特許文献３】特許第５２００１８５号公報
【手続補正３】
【補正対象書類名】明細書
【補正対象項目名】００３３
【補正方法】変更
【補正の内容】
【００３３】
支持部１５は、底部１２の内面から高さ方向に立ち上がっており、その高低差の分だけ、支持部１５の中央部分が凹状に陥没している。この凹みは、内容器２０に設けられた凸部２８の退避空間１５０となる。